(57)【要約】    【課題】  投げ釣りにおいて従来よりも遠方にまで到達可能にし、釣りポイントを自在に制御できる釣りポイント制御用具を提供すること。    【解決手段】  釣りポイント制御用具は、錘８０等をつなぐための錘連結部１と、錘連結部１が固定された膨張収縮自在の風船２と、風船２の開口端部２１を閉めるための閉口部材３と、道糸９０をつなげられ引っ張り防止用係止部５により係止される、閉口部材３に連設された被係止部４と、被係止部４を係止でき、かつ錘連結部１に固定された開口部材３が錘８０における力と同方向の力を受けても引っ張り力を受けて外れないようにする引っ張り防止用係止部５とから、主として構成される。【選択図】  図１
2006006308.tif 000002
【特許請求の範囲】
【請求項１】
錘または錘用糸をつなぐための錘連結部と、該錘連結部が固定された膨張収縮自在の風船と、該風船の開口端部を閉めるための閉口部材と、道糸をつなげることができ、後記引っ張り防止用係止部により係止されるための、該閉口部材に連なって設けられた被係止部と、該被係止部を係止することができ、かつ、該錘連結部に固定された開口部材が回転運動・放物運動・自由落下運動中等の該錘における力と同方向の力を受けても引っ張り力を受けて外れないようにするための、該錘連結部または該風船に固定された引っ張り防止用係止部と、からなる釣りポイント制御用具であって、該引っ張り防止用係止部は、回転運動・放物運動・自由落下運動中等の該錘における力と同方向の引っ張り力による該被係止部のはずれを制止するための制止形態をとることができるとともに、それ以外の方向への引っ張り力により該被係止部が外れるように該被係止部を着脱自在に係止することのできる構造であることを特徴とする、釣りポイント制御用具。
【請求項２】
前記引っ張り防止用係止部は前記錘連結部に設けられているか、またはこれと一体をなしており、前記閉口部材と前記被係止部とは糸により連結されているか、または該被係止部につなげられた道糸の余剰端部によって連結可能であり、該錘連結部は、回転運動・放物運動・自由落下運動中等の前記錘における力と略同方向上に長く形成されていることを特徴とする、請求項１に記載の釣りポイント制御用具。
【請求項３】
前記引っ張り防止用係止部は前記錘連結部に設けられているかまたはこれと一体をなして設けられたフックを有してなり、前記被係止部は該フックに係止することのできるリング状体であり、また該引っ張り防止用係止部には、該フックの先端部を受容することのできる孔部または貫通孔部が設けられており、該フックは少なくとも該孔部に受容もしくは挿通される先端部が弾性材料または可撓性材料により形成されていることを特徴とする、請求項２に記載の釣りポイント制御用具。
【請求項４】
前記風船の開口端部は硬質性材料による筒状体を有してなり、前記閉口部材は、該筒状体側に折り返された該風船開口端部先端ごと該筒状体周上に巻回、固定することのできる、ゴム製ひも等の弾性材料からなることを特徴とする、請求項１ないし３のいずれかに記載の釣りポイント制御用具。
【請求項５】
前記錘連結部は前記風船の開口端部の略反対側において該風船に固定されていることを特徴とする、請求項１ないし４のいずれかに記載の釣りポイント制御用具。
【発明の詳細な説明】
【技術分野】
【０００１】
本発明は釣りポイント制御用具に係り、特に、投げ釣りにおいて従来よりも遠方での釣りを可能にするとともに、釣りポイントを自在に制御することのできる、釣りポイント制御用具に関する。
【背景技術】
【０００２】
一般に投げ釣りでは、せいぜい１００ｍ程度の遠方での釣りが限度でる。また、狙ったポイントにおいて錘を落とし込むには相当高度な技能が必要である上、熟練者であっても困難な場合が少なくない。
【０００３】
従来、沖縄地方で実施されていた釣りの方法に、飛ばし縄（トゥバシナー）なるものがある。これは、追い風条件下で仕掛けの途中に風船を取り付けて投げ動作を行い、風船が気流により搬送されることを利用して相当沖合まで仕掛けを水面上付近で飛ばし、海面に餌を接触させる動作を繰り返しながら魚を釣る、というものである（非特許文献１）。
【０００４】
かかる風船の利用は、風向・風力の条件により仕掛けを相当遠方にまで運ぶことができるものであるが、従来、風船を釣りにおいて用いた提案がなされている状況を把握するため、下記により検索調査を行った。
使用データベース：特許電子図書館（特許庁）
使用検索メニュー：特許実用新案公報テキスト検索
検索条件：（ＦＩ＝Ａ０１Ｋ９１／００＋Ａ０１Ｋ９７／００）＊（要約＋請求の範囲＝風船）
対象公報：特許公開公報、特許公報、実用新案公開公報、実用新案公報
検索日：平成１６年５月２５日
【０００５】
【非特許文献１】＜消えゆく釣り“飛ばし縄”＞ http://w1.nirai.ne.jp/yosemiya/ 、沖縄情報通信・亜熱帯ＷＥＢマガジン、インターネットウルマ、企画・運営・制作  沖縄デジタルリサーチ、ＵＲＬ： http://www.u-r-u-m-a.co.jp/03genchi/04ashibi/fish/008.htm
【発明の開示】
【発明が解決しようとする課題】
【０００６】
しかし、非特許文献１の飛ばし縄のように、風船を取り付けることによって仕掛けを遠方に運ぶことは、風向・風力条件によりある程度可能ではあるものの、これは水面付近において風船を飛ばし、水面付近の魚を対象とするものであるため、それよりも水中下方の魚、中層から海底までの魚を対象とすることができない。また、風船は膨らましたままの状態であるため、魚が釣れた後の巻き上げの際、風船に水圧がかかり、相当の抵抗があるため、作業は重労働となる。さらに、これ単独によって釣りポイントを自在に制御することは、熟練者であっても決して容易ではない。
【０００７】
本発明が解決しようとする課題は、上記従来技術の問題点を除き、投げ釣りにおいて従来よりも遠方、たとえば従来の投げ釣りでは１００ｍ程度が限度であったものを、２００ｍ、場合によっては３００ｍ程度にまで、到達距離を延長可能とするとともに、釣りポイントを自在に制御することのできる、釣りポイント制御用具を提供することである。さらに加えて、魚が釣れた後の巻き上げ作業の労力を軽減できる釣りポイント制御用具を提供することである。
【課題を解決するための手段】
【０００８】
本願発明者は上記課題について検討した結果、従来技術における風船取り付けに加え、これを任意の釣りポイントで収縮させることのできる方法を用いることによって上記課題の解決が可能であることを見出し、本発明に至った。すなわち、上記課題を解決するための手段として本願で特許請求される、または少なくとも開示される発明は、以下のとおりである。
【０００９】
（１）錘または錘用糸をつなぐための錘連結部と、該錘連結部が固定された膨張収縮自在の風船と、該風船の開口端部を閉めるための閉口部材と、道糸をつなげることができ、後記引っ張り防止用係止部により係止されるための、該閉口部材に連なって設けられた被係止部と、該被係止部を係止することができ、かつ、該錘連結部に固定された開口部材が回転運動・放物運動・自由落下運動中等の該錘における力と同方向の力を受けても引っ張り力を受けて外れないようにするための、該錘連結部または該風船に固定された引っ張り防止用係止部と、からなる釣りポイント制御用具であって、該引っ張り防止用係止部は、回転運動・放物運動・自由落下運動中等の該錘における力と同方向の引っ張り力による該被係止部のはずれを制止するための制止形態をとることができるとともに、それ以外の方向への引っ張り力により該被係止部が外れるように該被係止部を着脱自在に係止することのできる構造であることを特徴とする、釣りポイント制御用具。
（２）  前記引っ張り防止用係止部は前記錘連結部に設けられているか、またはこれと一体をなしており、前記閉口部材と前記被係止部とは糸により連結されているか、または該被係止部につなげられた道糸の余剰端部によって連結可能であり、該錘連結部は、回転運動・放物運動・自由落下運動中等の前記錘における力と略同方向上に長く形成されていることを特徴とする、（１）に記載の釣りポイント制御用具。
【００１０】
（３）  前記引っ張り防止用係止部は前記錘連結部に設けられているかまたはこれと一体をなして設けられたフックを有してなり、前記被係止部は該フックに係止することのできるリング状体であり、また該引っ張り防止用係止部には、該フックの先端部を受容することのできる孔部または貫通孔部が設けられており、該フックは少なくとも該孔部に受容もしくは挿通される先端部が弾性材料または可撓性材料により形成されていることを特徴とする、（２）に記載の釣りポイント制御用具。
【００１１】
（４）  前記風船の開口端部は硬質性材料による筒状体を有してなり、前記閉口部材は、該筒状体側に折り返された該風船開口端部先端ごと該筒状体周上に巻回、固定することのできる、ゴム製ひも等の弾性材料からなることを特徴とする、（１）ないし（３）のいずれかに記載の釣りポイント制御用具。
（５）  前記錘連結部は前記風船の開口端部の略反対側において該風船に固定されて
いることを特徴とする、（１）ないし（４）のいずれかに記載の釣りポイント制御用具。
【発明の効果】
【００１２】
本発明の釣りポイント制御用具は上述のように構成されるため、これによれば、投げ釣りにおいて、従来、到達距離１００ｍ程度が限度であったものを、２００ｍ、場合によっては３００ｍ程度にまでこれを延長することができ、釣りポイントを自在に制御することができる。しかも、熟練度の低い者、初心者であっても、簡単な操作で、容易に釣りポイントを制御することができる。さらに加えて、従来技術と比較して、魚が釣れた後の巻き上げ作業の労力を軽減することができる。
【発明を実施するための最良の形態】
【００１３】
以下、本発明を図面により詳細に説明する。用いる図は実施例であり、本発明はこれらの図に表された範囲に限定されるものではない。
図１は、本発明の釣りポイント制御用具の実施例を示す説明図である。図において本発明釣りポイント制御用具は、錘８０または錘用糸８５をつなぐための錘連結部１と、該錘連結部１が固定された膨張収縮自在の風船２と、該風船２の開口端部２１を閉めるための閉口部材３と、道糸９０をつなげることができ、後記引っ張り防止用係止部５により係止されるための、該閉口部材３に連なって設けられた被係止部４と、該被係止部４を係止することができ、かつ、該錘連結部１に固定された開口部材３が回転運動・放物運動・自由落下運動中等の該錘８０における力と同方向の力を受けても引っ張り力を受けて外れないようにするための、該錘連結部１または該風船２に固定された引っ張り防止用係止部５と、からなり、該引っ張り防止用係止部５は、回転運動・放物運動・自由落下運動中等の該錘８０における力と同方向の引っ張り力による該被係止部４のはずれを制止するための制止形態をとることができるとともに、それ以外の方向への引っ張り力により該被係止部４が外れるように該被係止部４を着脱自在に係止することのできる構造であることを、主たる構成とする（上記（１）の発明）。
【００１４】
図において本釣りポイント制御用具は上述のように構成されるため、本発明釣りポイント制御用具は、錘８０または錘用糸８５は錘連結部１につながれて支持され、該錘連結部１は風船２に固定されていることで該風船２とともに風によって運ばれる。膨縮自在な該風船２の開口端部２１は、膨張した状態で閉口部材３によって閉じられる。該閉口部材３に連なって設けられた被係止部４には道糸９０がつながれ、該被係止部４は引っ張り防止用係止部５に、着脱自在に係止される。該被係止部４は引っ張り防止用係止部５によって係止され、該引っ張り防止用係止部５によって、該錘連結部１に固定された開口部材３が、回転運動・放物運動・自由落下運動中等の該錘８０における力と同方向の力を受けても引っ張り力を受けて外れてしまうことが防止される。
【００１５】
該引っ張り防止用係止部５が上記制止形態をとることにより、回転運動・放物運動・自由落下運動中等の該錘８０における力と同方向の引っ張り力による該被係止部４のはずれが制止される。
【００１６】
また、該引っ張り防止用係止部５の上記構造によって、回転運動・放物運動・自由落下運動中等の該錘８０における力と同方向の力以外の方向への引っ張り力がかかった場合は、該被係止部４が容易に外れることができる。
【００１７】
該制止形態をとることのできる引っ張り防止用係止部５の構成としては、図１に例示され、後述されるように、フックと、その先端部を受容することのできる孔部または貫通孔部からなる構成を用いることができる。この場合、フックおよび孔部等により閉じた構造が形成され、しかも該錘８０における上記力と同方向の引っ張り力に対する制止作用が働くため、その中に係止された係止部４が、閉じた構造から離脱することを防止することができる。
【００１８】
しかし、該制止形態をとることのできる引っ張り防止用係止部の構成これに限定されず、該錘８０における上記力と同方向の引っ張り力に対する制止作用を有するような閉じた構造を形成できる公知・適宜の部材の組み合わせを用いることができ、それらもすべて本願の請求する権利範囲である。
【００１９】
図２（ａ）、（ｂ）、（ｃ）および（ｄ）は、図１の実施例の使用例を示す説明図である。これら一連の図に示される通り、使用者Ａが竿１００を後方から前方へ回転させて投げの操作を行うと、それにつれて風船２を備えた本発明釣りポイント制御用具の取り付けられた仕掛けが遠心力によって利用者Ａ前方へと回転する（図２（ａ）、（ｂ））。利用者Ａが押さえていた道糸９０を放すと（図２（ｃ））、道糸９０がフリーになり、錘８０が先になった放物線運動となる（図２（ｄ））。このとき、該錘８０の運動は、つながって設けられている該風船２において生じる反作用によって制動されるため、道糸９０の緊張状態は必ずしも連続的ではなくなり、上述の制止形態がなければ、該被係止部４が外れやすくなり得る。しかし該引っ張り防止用係止部５の構成が可能ならしめる制止形態により該被係止部４の離脱は防止される。
【００２０】
このように、該被係止部４の離脱が防止されるために、これと連なって設けられる前記閉口部材３に対して該被係止部４からの引っ張り力が作用することはなく、したがって該閉口部材３は従前通り、該風船２の開口端部２１が閉じた状態に維持し、該風船２は膨張したままの状態を維持できるため、風により搬送されることができる。
【００２１】
風向・風力の条件により搬送される本釣りポイント制御用具は、利用者Ａによって決定される任意の場所（空中であるか、水面上であるかを問わず）において、該被係止部４を該引っ張り防止用係止部５から外すために、回転運動・放物運動・自由落下運動中等の該錘８０における力と同方向の力以外の方向への引っ張り力がかけられる。かかる操作によって、該被係止部４が容易に外れることができる。このような力は、該錘８０における力の方向と異なる力であればよい。したがって、簡単には、該錘８０における力の方向と略直交する方向の力を、利用者Ａが道糸９０を介して作用させれば、該被係止部４を該引っ張り防止用係止部５から離脱させることができる。
【００２２】
該被係止部４を該引っ張り防止用係止部５から離脱させることによって、該被係止部４に連なって設けられた該閉口部材３に対し、該道糸９０を介しての力の作用を直接及ぼさせることが可能となる。ここで、該閉口部材３としては後述例示するような輪ゴム等の弾性材料を用い、これを該開口端部２１周囲に適宜回数巻回して締め付け固定するなど、外部から力を加えない限り安定的な締め付け固定がなされるとともに該閉口部材３の一部にその固定を解くための力がかかることによって連続的かつ容易に締め付け固定が外れるような手段を用いることが好ましい。後述の弾性材料は、そのような手段の一例である。
【００２３】
該閉口部材３に、該道糸９０を介して引っ張り力がかけられることにより、該開口端部２１からの閉口部材３の離脱、締め付け固定の解除、該開口端部２１の開放、該風船２の収縮が連続的に生じ、該風船２が膨張状態の間はこれにより制止されていた前記錘８０は、それが空中にあった場合であれ水面下にあった場合であれ、下降を開始し、釣りポイント制御の一連の作動が完了する。
【００２４】
図２（ｅ）は、引っ張り防止用係止部５が上述のように構成されず、したがって制止形態をとれない場合についての説明図である。図示するように、図２（ｄ）の状態で該被係止部４が離脱してしまい、それによって連なって設けられる該閉口部材３が引っ張られ、膨張した状態の該風船２の開口端部２１が開いてしまってこれが収縮してしまい、狙った釣りポイントでの風船２収縮−錘８０落とし込みという動作ができなくなってしまう。しかし、本発明の構成によれば、上述のとおりこれを防止することができる。
【００２５】
図１において、本発明釣りポイント制御用具は、前記引っ張り防止用係止部５は前記錘連結部１に設けられているか、またはこれと一体をなした構成とすることができる。さらにまたかかる構成に加え、あるいはかかる構成具備に関わらず、前記閉口部材３と前記被係止部４とは糸により連結されているか、または該被係止部４につなげられた道糸の余剰端部によって連結可能な構成とすることができる。さらにまた、これらの少なくともいずれかの構成に加え、あるいはこれらの構成具備とは関わらず、該錘連結部１は、回転運動・放物運動・自由落下運動中等の前記錘８０における力と略同方向上に長く形成された構成をとるものとすることができる（上記（２）の発明）。
【００２６】
かかる構成は本発明の一例ではあるが、本発明用具の構成を簡素化し、低コスト化し、また、投げ釣り操作の各運動における該錘８０における力方向と、該被係止部４の離脱のための力方向との関係で、優れた操作性を発揮することができる。
【００２７】
図１において、本発明釣りポイント制御用具は、前記引っ張り防止用係止部５が、前記錘連結部１に設けられているかまたはこれと一体をなして設けられたフック５１を有してなるものとすることができる。さらにまたかかる構成に加え、あるいはかかる構成具備に関わらず、前記被係止部４が、該フック５１に係止することのできるリング状体であり、また該引っ張り防止用係止部５には、該フック５１の先端部５３を受容することのできる孔部または貫通孔部５８が設けられた構成とすることができる。さらにまた、これらの少なくともいずれかの構成に加え、あるいはこれらの構成具備とは関わらず、該フック５１は少なくとも該孔部等５８に受容もしくは挿通される先端部５３が弾性材料または可撓性材料により形成されている、という構成をとることができる（上記（３）の発明）。
【００２８】
かかる構成は本発明の一例ではあるが、これにより本発明用具の構成を簡素化し、低コスト化し、用具の耐久性向上、操作性の向上を得ることができる。
【００２９】
該フック５１を含む該引っ張り防止用係止部５および該錘連結部１にはステンレス鋼等適宜の金属材料を、また該フックの先端部５３にはビニール等の軟質性材料を、それぞれ用いて本発明用具を容易に構成することができる。該先端部５３のみを弾性もしくは可撓性材料とすることにより、上述の制止形態をとる際の力は実質的に該先端部５３のみにかかり、構造部材といえる該フック５１やこれと連なる該錘連結部１に対する負荷は実質的にないため、本用具の耐久性に大いに寄与する。
【００３０】
図３は、図１に示す実施例についてその一部を拡大した説明図である。また、
図４は、図３の一部についての断面図である。これらの図に示されるように、本発明の釣りポイント制御用具は、前記風船２の開口端部２１は硬質性材料による筒状体２５を有してなる構成をとることができる。さらにまたかかる構成に加え、あるいはかかる構成具備に関わらず、前記閉口部材３は、該筒状体２５側に折り返された該風船開口端部２１先端ごと該筒状体２５周上に巻回、固定することのできる、ゴム製ひも等の弾性材料からなる弾性ひも体３６とすることができる（上記（４）の発明）。
【００３１】
以上のような構成により、該風船２の開口端部２１の閉口を容易かつ確実に行うことができるとともに、これを開口させる際も容易な操作によって行うことができる。
【００３２】
該弾性ひも体３６としては、輪ゴム、あるいは輪ゴムのように閉じていないゴム製ひもを好適に用いることができるが、本発明がこれらに限定されないことはいうまでもない。
【００３３】
前出図１に例示された通り、本発明釣りポイント制御用具は、前記錘連結部１が前記風船２の開口端部２１の略反対側において該風船２に固定された構成とすることができる（上記（５）の発明）。
【００３４】
該風船２を収縮させて該錘８０を落とし込む最終段階においては、該開口端部２１をできる限り上方に向けて、該風船２内部の空気放出を極力完全に行わしめることが望ましい。上述の構成をとることにより、該風船２内部の空気の完全放出がなされやすくなり、該風船２が内部に空気を包含したままの状態で水中を漂って、所期の目的である釣りポイント制御の精度を低下させることを防止することができる。また、内部に空気を包含しない状態あるいはこれに近い状態にできるため、大きな水圧を受けることが防止され、魚が釣れた後の巻き上げ作業の労力を軽減することができる。
【００３５】
図５は、本発明の釣りポイント制御用具の別の実施例の概略構成を示す説明図である。また、
図６は、図５の実施例についての別の説明図である。これらに示す実施例は、強風条件下においても前記被係止部が前記フックから外れないように構成したものである。すなわち、上述の本発明実施例の場合、相当の強風条件下にてこれを用いる場合、投げの操作に入る前に前方からの強風を受けて風船が煽られ、その勢いでフック先端部が外れてしまう可能性がある。これは、強風を受けることによって引っ張り防止用係止部全体が風下方向に倒れた姿勢となってしまうことによる。
【００３６】
しかし、図５、６に示した実施例によれば、風船２００は引っ張り防止用係止部５００の横側に取り付けられ、強風Ｗを風船２００が受けた場合であっても、該引っ張り防止用係止部５００全体の姿勢が維持されて、フック５１０には被係止部４００の係止が維持され、フック先端部５３０も孔部または貫通孔部５８０から外れない。したがって本例によれば、相当強風条件下であっても、投げる前の被係止部の外れを防ぐことができる。
【産業上の利用可能性】
【００３７】
本発明の釣りポイント制御用具は上述のように構成されるため、これによれば、投げ釣りにおいて、従来、到達距離１００ｍ程度が限度であったものを、２００ｍ、場合によっては３００ｍ程度にまでこれを延長することができ、釣りポイントを自在に制御することができる。しかも、熟練度の低い者、初心者であっても、簡単な操作で、容易に釣りポイントを制御することができる。さらに加えて、従来技術と比較して、魚が釣れた後の巻き上げ作業の労力を軽減することができる。したがって、レジャー産業等において、利用価値が高い発明である。
【図面の簡単な説明】
【００３８】
【図１】本発明の釣りポイント制御用具の実施例を示す説明図である。
【図２（ａ）】図１の実施例の使用例を示す説明図である。
【図２（ｂ）】図１の実施例の使用例を示す説明図である。
【図２（ｃ）】図１の実施例の使用例を示す説明図である。
【図２（ｄ）】図１の実施例の使用例を示す説明図である。
【図２（ｅ）】引っ張り防止用係止部５が上述のように構成されず、したがって制止形態をとれない場合についての説明図である。
【図３】図１に示す実施例についてその一部を拡大した説明図である。
【図４】図３の一部についての断面図である。
【図５】本発明の釣りポイント制御用具の別の実施例の概略構成を示す説明図である。
【図６】図５の実施例についての別の説明図である。
【符号の説明】
【００３９】
１…錘連結部
２…風船
２１…開口端部
２５…筒状体
３…閉口部材
３６…弾性ひも体
４…被係止部
５…引っ張り防止用係止部
５１…フック
５３…フック先端部
５８…孔部または貫通孔部
８０…錘
８５…錘用糸
９０…道糸
１００…竿
Ａ…使用者
２００…風船
３００…閉口部材
４００…被係止部
５００…引っ張り防止用係止部
５１０…フック
５３０…フック先端部
５８０…孔部または貫通孔部
８００…錘
８５０…錘用糸
９００…道糸
Ｗ…強風
【図１】
2006006308.tif 000003
【図２（ａ）】
2006006308.tif 000004
【図２（ｂ）】
2006006308.tif 000005
【図２（ｃ）】
2006006308.tif 000006
【図２（ｄ）】
2006006308.tif 000007
【図２（ｅ）】
2006006308.tif 000008
【図３】
2006006308.tif 000009
【図４】
2006006308.tif 000010
【図５】
2006006308.tif 000011
【図６】
2006006308.tif 000012